(57)【要約】【課題】欠線をなくし光源の信頼性を高め、かつ、操作ブレードの薄型化を実現する風向調整羽根を提供する。【解決手段】風向調整羽根の操作ブレードに端子部と導電部を設ける。端子部は外部電源に電気的に接続する端子に摺接することで給電されるものとする。一方、操作ノブに光源に電気的に接続する当接部を設ける。当接部は導電部に当接し摺接することで給電されるものとする。【選択図】図４
2004025960.tif 000002
【特許請求の範囲】
【請求項１】
通風路を形成する略筒状の外筒と、該外筒の通風路下流側に並設された第１のブレード群と、該外筒の該通風路上流側に該第１のブレード群と略直交するように回動可能に並設された第２のブレード群と、該第１のブレード群の少なくとも１つの操作ブレードに摺動可能に取付されこの摺動によって該第２のブレード群の回動を操作する操作ノブと、を有する風向調整羽根であって、
前記操作ブレードは、外部電源に電気的に接続された端子に摺接することで給電される端子部と、該端子部と電気的に接続され少なくとも前記操作ノブが摺動する表面に表出する導電部とを有し、
前記操作ノブは、該導電部に当接し該導電部と摺接して電気的に接続する当接部と該当接部に電気的に接続された光源とを有することを特徴とする風向調整羽根。
【請求項２】
前記当接部は弾性体からなり前記導電部に弾接する請求項１に記載の風向調整羽根。
【請求項３】
前記端子部は前記操作ブレードから突出し少なくとも表面が導電性の回動軸部であり、前記端子は導電軸受であり、該回動軸部は該導電軸受けに回動可能に軸支されている請求項１または請求項２に記載の風向調整羽根。
【請求項４】
少なくとも前記導電部と前記端子部とは導電樹脂材料で形成されている請求項１〜請求項３に記載の風向調整羽根。
【請求項５】
前記導電部と前記端子部には導電メッキ層が形成されている請求項１〜請求項３に記載の風向調整羽根。
【発明の詳細な説明】
【０００１】
【発明の属する技術分野】本発明は、通風路を構成し通風路内から吹出す風向を調整する風向調整羽根に関する。
【０００２】
【従来の技術】
自動車のインストルメントパネルに設けられる空調用レジスタや、エアコンのルーバー等の通風路を有する部材には、従来より種々の風向調整羽根が設けられている。
【０００３】
このうち例えば空調用レジスタは、空調装置からの温冷風を吹出する開口部であって、開口内部に設けられた複数のブレードの角度を調整することで温冷風の風向を調整する部材である。
【０００４】
この空調用レジスタしては、従来より種々のものが知られている。図１に従来の空調用レジスタの一例を表す模式斜視図を示す。図１に示す空調用レジスタは、通風路１００を形成する略筒状の外筒１０１と、この外筒１０１の通風路下流側１０２に並設された第１のブレード群１０３と、外筒１０１の通風路上流側１０４に第１のブレード群１０３と略直交するように回動可能に並設された第２のブレード群１０５とを有するものである。このような空調用レジスタでは、第１のブレード群１０３の少なくとも１つである操作ブレード１０６に取付された操作ノブ１０７を操作ブレード１０６に対して図中矢印方向に摺動させることで、操作ノブ１０７に連結された第２のブレード群１０５の回動を操作し、この回動によって第２のブレード群１０５の角度を調整して風向の調整をおこなうものである。また、第１のブレード群を回動可能なものとし、この第１のブレード群の回動によって第１のブレード群の角度を調整することで風向の自由度をさらに向上させるものも知られている。
【０００５】
しかしこのような風向調整羽根を暗所で操作する場合、例えば空調用レジスタを夜間運転時に操作するような場合には、操作ノブの位置が目視し難い場合がある。したがって、風向調整羽根に光源を設けて操作ノブの位置を容易に確認できるようにすることがなされている。
【０００６】
このような光源を設ける方法として、従来は、操作ブレードに光源を取付することがなされている。光源が取付された従来の操作ブレードを表す模式透視図を図２に示す。この場合、図２に示すように光源１０８をコード１０９を介して図示しない外部電源に接続し、この光源１０８を操作ブレード１１０に取付するとともにコード１０９を操作ブレード１１０内部に収納し、操作ノブ１１１のうち光源１０９と対向する位置に窓部１１２を設けて、この窓部１１２より操作ノブ１１１前面に光を透過させる方法が一般的に用いられている。
【０００７】
しかしこの場合、窓部より透過した光によって操作ノブの位置を確認することはできるが、操作ノブの摺動範囲を窓部が設けられている範囲よりも大きくした場合には、光源と窓部との間にずれが生じるため十分な光量が得られず摺動範囲を大きく設定することができない問題があった。また、光源が操作ブレードに取付されているため、操作ノブの摺動によって光源と操作ノブとが当接する場合があり、この場合、光源にぐらつきなどの不具合が生じる場合があった。
【０００８】
さらに、光源はコードによって外部電源に接続されているため、第１のブレード群を回動可能なものとした場合、すなわち操作ブレードが回動する場合は、操作ブレードの回動時にこのコードにねじれが生じる場合があり、このねじれが高じてコードに欠線が生じる場合があった。
【０００９】
また、特開平６−５８６１６号広報には操作ノブに光源を取り付けした風向調整羽根が記載されている。ここに記載される風向調整羽根においては、操作ブレードに設けられた摺接部と操作ノブに設けられた導電板とが摺動するとともに電気的に接続されることによって、摺動範囲を大きくすることが可能となるとともに、光源を摺動面から離間して配置することができるため、光源のぐらつきなどの問題を抑制することが可能となる。
【００１０】
しかしこのような風向調整羽根においても、この摺接部と外部電源との接続は操作ブレードの内部に収納されたコードによって行われるために、上述した例と同様にコードに欠線が生じる場合があった。また、外部電源と光源とをコードを介して接続するような場合には、操作ブレード内にこのコードを収納する必要が生じ、操作ブレードの厚みが増大し通風路が小さくなる場合があった。
【００１１】
【発明が解決しようとする課題】
本発明は、このような事情を考慮してなされたものであり、欠線をなくし光源の信頼性を高め、かつ、操作ブレードの薄型化を実現する風向調整羽根を提供することを目的とする。
【００１２】
【課題を解決するための手段】
前記課題を解決する本発明の風向調整羽根は、通風路を形成する略筒状の外筒と、該外筒の通風路下流側に並設された第１のブレード群と、該外筒の該通風路上流側に該第１のブレード群と略直交するように回動可能に並設された第２のブレード群と、該第１のブレード群の少なくとも１つの操作ブレードに摺動可能に取付されこの摺動によって該第２のブレード群の回動を操作する操作ノブと、を有する風向調整羽根であって、上記操作ブレードは、外部電源に電気的に接続された端子に摺接することで給電される端子部と、該端子部と電気的に接続され少なくとも上記操作ノブが摺動する表面に表出する導電部とを有し、上記操作ノブは、該導電部に当接し該導電部と摺接して電気的に接続する当接部と該当接部に電気的に接続された光源とを有することを特徴とする。
【００１３】
この構成によると、端子部から当接部への電気的接続は導電部によっておこなわれることから操作ブレード内部にコードを収納する必要はなく、操作ブレードを薄型化することが可能となる。
【００１４】
また、端子部から当接部への電気的接続が導電部によっておこなわれ、かつ端子から端子部への電気的接続は端子と端子部との摺接によっておこなわれることから、これらの電気的接続にはコードを必要としない。したがって、操作ブレードが回動する場合でも欠線による不具合が生じることはなく、各電気的接続を信頼性の高いものとすることができる。
【００１５】
さらに、光源は操作ノブに設けられ、操作ブレードに配置された導電部から操作ノブに配置された当接部への電気的接続も摺接によっておこなわれることから、操作ノブの摺動範囲は大きいものとなりかつ光源のぐらつき等の不具合は防止される。
【００１６】
また、上記当接部は弾性体からなり上記導電部に弾接する構成とすることができる。
【００１７】
上記端子部は操作ブレードから突出し少なくとも表面が導電性の回動軸部であり、上記端子は導電軸受であり、該回動軸部は該導電軸受けに回動可能に軸支されている構成とすることができる。
【００１８】
少なくとも上記導電部と上記端子部とは導電樹脂材料で形成することができる。
【００１９】
上記導電部と上記端子部には導電メッキ層を形成することができる。
【００２０】
【発明の実施の形態】
本発明にかかる風向調整羽根は、通風路を形成する略筒状の外筒と、外筒の通風路下流側に並設された第１のブレード群と、外筒の通風路上流側に第１のブレード群と略直交するように回動可能に並設された第２のブレード群と、第１のブレード群の少なくとも１つの操作ブレードに摺動可能に取付されこの摺動によって第２のブレード群の回動を操作する操作ノブと、を有する。
【００２１】
本発明の風向調整羽根において、外筒は略筒状の形状に形成されこの外筒の内部が通風路を構成する。外筒は所望の通風路の大きさや形状に応じて種々の大きさや形状に形成することができる。
【００２２】
第１のブレード群は、外筒の通風路下流側に並設された１つ以上の略平板状のブレードからなるものであり、この第１のブレード群は回動しないものであっても良いし、回動可能なものであっても良い。第１のブレード群が回動しないものである場合は第１のブレード群によって風向は一定方向に固定され、さらに後述する第２のブレード群の回動によって風向は第１のブレード群によって固定された範囲内で調整される。第１のブレード群が回動可能である場合にはこの第１のブレード群によっても風向が調整されることから、調整可能な風向の自由度はさらに大きくなる。
【００２３】
第２のブレード群は、外筒の通風路上流側に並設された１つ以上の略平板状のブレードからなるものであり、この第２のブレード群は第１のブレード群と略直交するように回動可能に並設されたものであり、この第２のブレード群の回動によって風向が調整される。
【００２４】
第１のブレード群および第２のブレード群は、互いに略直交するような配置方向に位置することができる。例えば、第１のブレード群を外筒の底面に対して水平方向に配置した場合は第２のブレード群を外筒の底面に対して垂直方向に配置することができるし、またその逆も可能である。
【００２５】
操作ブレードは、第１のブレード群の少なくとも１つであり、この操作ブレードには操作ノブが摺動可能に取付される。第１のブレード群が回動する場合には、この操作ブレードもまた同様に回動するものとなる。
【００２６】
操作ノブは、操作ブレードに摺動可能に取付され、かつ、摺動によって第２のブレード群の回動を操作するものである。ここで、第２のブレード群や回動可能に配置される第１のブレード群において、第１のブレード群における各ブレードや第２のブレード群における各ブレードは、その回動が同期しておこなわれるように連結手段によって各々連結されて配置されることとなる。したがって、操作ノブは第２のブレード群の所定のブレードに連結されるかあるいは連結手段に連結されることによって、その摺動を第２のブレードに伝達することとなる。操作ノブの第２のブレードあるいは連結手段に対する連結は、係合，嵌合等の通常の連結方法を用いておこなうことができる。操作ノブの摺動は手動によっておこなわれるものであっても良いし、また既知の駆動手段によって駆動されておこなわれるものであっても良い。また、操作ノブの操作ブレードに対する摺動は、操作ブレードの長手方向におこなわれる。
【００２７】
本発明の風向調整羽根において、操作ブレードは、端子部と導電部とを有する。端子部は、外筒に固定された端子と摺接するように２箇所に設けられたものである。端子部は導電性を有するものであり、また、端子は外部電源に電気的に接続されたものであることから、端子部は端子に摺接することにより給電されることとなる。ここで、２箇所の端子部のうち、片方が正極側端子部となり他方が負極側端子部となり、それぞれ正極側の端子または負極側の端子と摺接し電気的に接続される。第１のブレード群によっても風向を調整する場合、すなわち第１のブレード群が回動可能である場合は、操作ブレードもまた回動可能に設けられる。この場合、端子部はこの回動に伴って回転あるいは揺動することとなり、端子部と端子とは互いに摺接するものとなる。また、第１のブレード群が回動しない場合には、端子と端子部とを不可動的に接するものとすることも可能である。
【００２８】
導電部もまた導電性を有するものであり、この導電部は端子部と電気的に接続されるものである。端子部と導電部との接続は可動的なものである必要はなく、通常の接続方法によっておこなうことができる。また、端子部と導電部とは同じ操作ブレードに配置されるものであることから一体的に形成することもできる。また、導電部は少なくとも操作ノブが摺動する表面に表出する必要があるが、その表出位置（操作ブレードの上面，下面，側面，通風路上流側，通風路下流側等）は、特に限定しない。導電部の表出位置を適宜設定し、操作者より目視されない位置とすることで、風向調整羽根の意匠性をより向上させることができる。
【００２９】
また、導電部は正極側端子と接続する正極側導電部と負極側端子と接続する負極側導電部とに分かれ、この正極側導電部と負極側導電部とは各々離間して配置される。正極側導電部と負極側導電部との表出位置は、操作ノブが摺動する表面であれば、同一表面上であってもよく、また各々異なる表面上であっても良い。
【００３０】
導電部は、全体が操作ブレード表面に表出するものとすることもできるし、また、その一部分が操作ブレード表面に表出するものとすることもできるが、導電部は少なくとも操作ノブが摺動する表面に表出することが必要である。導電部のうち一部分が表出する場合、操作ノブが摺動する表面に表出する導電表出部と表出しない連結導電部とは別々に形成することもできるし、また、一体に形成することもできる。また、端子と導電部とを一体に形成することもできる。一体に形成する場合は、これら各部分の電気的な接続はより信頼性の高いものとなるため好ましく使用することができる。導電部および端子部は導電性材料で形成することもできるし非導電性材料で形成することもできる。非導電性材料で形成する場合は、その表面に部分メッキ等で導電メッキ層を形成することで導電性を付与することもできる。導電性材料としては、銅等の既知の導電金属やカーボン繊維，銀等を含有する樹脂等の導電樹脂材料を用いることができる。
【００３１】
本発明において、予め形成した導電部と端子部とをインサート成形等の方法で操作ブレードと一体形成することもできるし、また、ブレード本体に導電性メッキ層の導電部や端子部を形成して一体形成することもできる。さらには、導電部や端子部を導電樹脂材料で形成し、操作ブレードのその他の部分を通常の樹脂材料で形成するなどして２色成形で一体形成することもできる。導電部や端子部と操作ブレードとを一体形成することで、操作ブレードをより薄型化することが可能となり、より大きい通風路を確保することができる。また、導電表出部のうち後述する当接部と摺接しない部分は樹脂等の非導電性材料で被覆して絶縁することもできる。
【００３２】
操作ノブは、導電部に当接し導電部と摺接して電気的に接続する当接部を有する。この当接部も正極側当接部と負極側当接部とに分けられ、正極側当接部が正極側導電部と接続し負極側当接部が負極側導電部と接続する。正極側当接部および負極側当接部は光源と電気的に接続し、この接続によって光源への給電がおこなわれることとなる。
【００３３】
光源は操作ノブに配置される。光源の操作ノブに対する配置位置は、光源が操作ノブの操作者側を照射可能となるような位置であればよい。例えば操作ノブのうち、操作者側に表出する面にこの光源が表出するものであっても良いし、または、光源を操作ノブ内部に配置して操作ノブの操作者側に光源を透過させることもできる。また、操作ノブ全体を光透過性の高い材料で形成し光源を操作ノブの全面から透過させることもできる。
【００３４】
光源は既知のものから適宜選択して使用することができるが、消費電力等を考慮するとＬＥＤを用いることが望ましい。
【００３５】
本発明において、当接部は弾性体からなり前記導電部に弾接する構成とすることができる。当接部が導電部に弾接することで、この弾接の程度を調整し操作ノブの操作ブレードに対する加重調整を適宜おこなうことが可能となり、風向調整の操作感を好適なものとすることが可能となる。また、端子または端子部を弾性体で構成し、端子部が端子に弾接する構成とすることもできる。この場合は、第１のブレード群を回動するものとする場合に、第１のブレード群の風向調整の操作感を好適なものとすることが可能となる。
【００３６】
本発明の風向調整羽根において、端子部を回動軸部とし端子を導電軸受とすることができる。回動軸部は少なくとも表面が導電性を有し、操作ブレードから突出するように形成されたものである。導電軸受は、外筒に固定され外部電源に電気的に接続されたものであって、回動軸部を回動可能に軸支するものである。導電軸受に回動軸部が回動可能に軸支されることで、電動軸受けと回動軸部との電気的な接続を保ちつつ回動軸部を中心に操作ブレードの回動をおこなうことができ、第１のブレード群の回動による風向の調整をおこなうことができる。また、ここで回動軸部および導電軸受けのいずれかを弾性体とすることで上述したように第１のブレード群の風向調整の操作感を好適なものとすることもできる。
【００３７】
【実施例】
以下、本発明の実施例を添付図面を基にして説明する。また、本発明の実施例において、上，下，左，右とは、風向調整羽根を通風路下流側から通風路上流側方向にみた場合の上下左右方向を指す。
（実施例１）本発明の実施例１の風向調整羽根１は、導電部２と端子部３が導電メッキ層で操作ブレード４上に一体的に形成されたものである。本実施例１の風向調整羽根１を表す模式斜視図を図３に示し、本実施例１の操作ブレード４を表す模式透視図を図４に示す。
【００３８】
本実施例１の風向調整羽根１は、通風路５を形成する略筒状の外筒６と、第１のブレード群７と第２のブレード群８とを有する。第１のブレード群７は外筒６の通風路５下流側に配置され、外筒６の底面に対して水平方向に延びた略平板状のブレード９が並設されて形成されている。この第１のブレード群７の各々のブレード９は左右端側に設けられた第１の回動軸部１０をこの第１の回動軸部１０と対向する位置に設けられた第１の回動軸支部１１に軸支され、この第１の回動軸部１０を中心に回動可能に配置されている。第１のブレード群７の通風路５上流側端側には、第１のブレード群７を回動可能に連結する第１の連結手段１２が配置され、この第１の連結手段１２によって第１のブレード群７の回動が同期されている。
【００３９】
第２のブレード群８は、外筒６の通風路５上流側に配置され、第１のブレード群７に対して略直交するように延びた略平板状のブレード９が並設されて形成されている。この第２のブレード群８の各々のブレード９は上下端側に設けられた第２の回動軸部１３をこの第２の回動軸部１３と対向する位置に設けられた第２の回動軸支部１４に軸支され、この第２の回動軸部１３を中心に回動可能に配置されている。また、第２のブレード群８の通風路５上端側端側には第２のブレード群８を回動可能に連結する第２の連結手段１５が配置され、この第２の連結手段１５によって第２のブレード群８の回動が同期されている。第２のブレード群８のうちの１つである回動ブレード１６は、通風路５下流側に棒状の回動端部１７を有し、この回動端部１７は後述する操作ノブ１８の操作端１９に挟持される。
【００４０】
本実施例において、第１のブレード群７，第１の回動軸支部１１および第１の連結手段１２は２色成形法によって形成され、第２のブレード群８，第２の回動軸支部１４および第２の連結手段１５もまた２色成形法によって形成された。第１のブレード群７を例に挙げてこの２色成形法を説明する。まず第１の成形時に各々のブレード９を融点の高い熱可塑性樹脂により形成する。このような樹脂としては、ＡＢＳ，ＰＯＭ（ポリアセタール），ＰＡ（ポリアミド）などが例示されるが、本実施例ではＡＢＳを用いている。次に同じ成型型内で一部のスライドコアを変更し、形成された複数のブレード９を成型型内に配置した状態で、ＡＢＳより融点が低くＡＢＳと接合しない熱可塑性樹脂により第１の回動軸支部１１および第１の連結手段１２を形成する第２の成形をおこなう。これにより第１の回動軸支部１１および第１の連結手段１２に回動可能に保持された第１のブレード群７が形成される。なお、第２の成形に用いられる樹脂としてはＰＰ，ＰＥなどが例示されるが、本実施例ではＰＰを用いている。
【００４１】
第１のブレード群７のうちの１つのブレードである操作ブレード４には、略筒状の操作ノブ１８が操作ブレード４の外側に摺動可能に取付され、この操作ノブ１８の通風路５上流側端側から回動ブレード１６方向に脚状の操作端１９が延びている。この操作端１９は回動ブレード１６の回動端部１７を弾性的に挟持している。本実施例においては、この操作ノブ１８の摺動が操作端１９より回動端部１７に伝達されて第２のブレード群８の回動がおこなわれる。
【００４２】
操作ブレード４の右端側に位置する第１の回動軸部１０は表面に導電メッキ層が形成されて正極側端子部２０となっている。また、操作ブレード４の左端側に位置する第１の回動軸部１０も同様に表面に導電メッキ層が形成され負極側端子部２１となっている。また、正極側端子部２０と連続する操作ブレード４の通風路５下流側にも導電メッキ層が形成されて正極側導電部２２が形成され、負極側端子部２１と連続する操作ブレード４の通風路５下流側にも導電メッキ層が形成され負極側導電部２３が形成されている。正極側導電部２２および負極側導電部２３は各々操作ブレード４中央部付近まで延び、所定の間隔をあけて配置されている。この導電メッキ層は銅よりなり、操作ブレード４上に形成されることで操作ブレード４と一体的に形成されている。正極側端子部２０および負極側端子部２１は各々正極側端子２４と負極側端子２５に摺接している。正極側端子２４および負極側端子２５は外筒６に固定され、図示しない外部電源の正極または負極にそれぞれ電気的に接続されている。この正極側端子２４および負極側端子２５はバネ鋼により形成された導電軸受けであり、正極側端子部２０および負極側端子部２１を弾性的に挟持することで正極側端子部２０および負極側端子部２１を回動可能に弾性的に軸支している。したがって、正極側端子部２０および負極側端子部２１は第１の回動軸支部１１とともに正極側端子２４および負極側端子２５によっても軸支されることとなり、回動と同時に摺接による給電がおこなわれることとなる。
【００４３】
操作ノブ１８のうち、正極側導電部２２および負極側導電部２３に当接する部分には、弾性体からなり正極側導電部２２または負極側導電部２３に弾接する正極側当接部２６および負極側当接部２７が形成されている。また、正極側当接部２６と負極側当接部２７との間にはＬＥＤからなる光源２８が配置され、この光源２８は正極側当接部２６および負極側当接部２７と電気的に接続している。操作ノブ１８の光源２８と対向する位置には透明樹脂からなる窓部２９が設けられ、光源２８より発生した光はこの窓部２９より通風路５下流側に透過することとなる。
【００４４】
本実施例１の風向調整羽根１において、端子部３と端子との接続は摺接によっておこなわれ、端子部３より当接部３０までの電気的接続は導電部２によっておこなわれる。したがって、接続にコードを必要とせず操作ブレード４を薄型のものとすることが可能となる。またコードを要しないことから、欠線等の不具合が生じることはなく電気的接続は信頼性の高いものとなる。また、操作ノブ１８は操作ブレード４上を摺動する。このとき、正極側当接部２６は正極側導電部２２に弾性的に摺接され負極側当接部２７は負極側導電部２３に弾性的に摺接されることとなる。したがって、光源２８に給電がなされるとともに操作ブレード４に対する加重調整もおこなわれ、風向調整の操作感を好適なものとすることが可能となる。
（実施例２）本実施例２の風向調整羽根は導電部３１の配置と当接部３２の配置以外は実施例１と同様に形成されたものである。本実施例２の操作ブレード３３を表す模式透視図を図５に示す。
【００４５】
本実施例２の風向調整羽根の操作ブレード３３において、正極側導電部３４は操作ブレード３３下側のやや中央寄りに配置され、右端側より左端側方向へ延びる形状に形成されている。負極側導電部３５は操作ブレード３３上側のやや中央寄りに配置され、左端側より右端側方向へ延びる形状に形成されている。光源３６は実施例１と同じ位置に配置され、正極側当接部３７はこの光源３６の下側より延び通風路の上流方向すなわち正極側導電部３４方向に延びる形状に形成されている。負極側当接部３８は光源３６の上側より延び通風路の上流方向すなわち負極側導電部３５方向に延びる形状に形成されている。
【００４６】
本実施例２の風向調整羽根において、導電部３１は操作ブレード３３の上側および下側に形成されているため、導電部３１は使用者より視認され難い位置に配置されることとなる。したがって意匠性をより向上させることが可能となる。
（実施例３）本実施例３の風向調整羽根は操作ブレード３９の形状と端子部４０および端子４１の配置位置以外は実施例１と同様に形成されたものである。また、本実施例３において導電部４２および端子部４０は２色成形によって操作ブレード３９と一体的に形成されている。本実施例３の操作ブレード３９を表す模式模式透視図を図５に示す。
【００４７】
本実施例３の操作ブレード３９は実施例１と同様の導電部４２が形成され、通風路下流側の左右端側が切欠された形状に形成されており、この切欠された部分が端子部４０となっている。また、本実施例３において、回動軸部４３は導電性を有さないものとなっている。端子４１は、回動軸部４３を中心とした円弧状に設けられ、端子部４０と摺接するように配置されている。操作ブレード３９が回動軸部４３を中心に回動した場合、端子部４０はこの回動に伴って回動するが、端子４１は回動軸部４３を中心とした円弧状に形成されていることから、端子部４０は端子４１と摺接しつつ回動することとなる。
【００４８】
また、本実施例３において、導電部４２と端子部４０をカーボン繊維含有ナイロンからなる導電樹脂によって２色成形の第１の成形によって予め一体的に形成し、その後に導電樹脂より融点の低いＡＢＳ樹脂によりその他の操作ブレード３９の部分を形成する第２の成形をおこなう。
【００４９】
本実施例３の風向調整羽根において、回動軸部４３と端子部４０とが別々に設けられていることから、種々の形状の風向調整羽根に対応することが可能となる。
【００５０】
【発明の効果】
以上述べてきたように、本発明の風向調整羽根によると、端子部から当接部への電気的接続は導電部によっておこなわれることから操作ブレード内部にコードを収納する必要はなく、操作ブレードを薄型化することが可能となる。
【００５１】
また、端子部から当接部への電気的接続が導電部によっておこなわれ、かつ端子から端子部への電気的接続は端子と端子部との摺接によっておこなわれることから、これらの電気的接続にはコードを必要としない。したがって、操作ブレードが回動する場合でも欠線による不具合が生じることはなく、各電気的接続を信頼性の高いものとすることができる。
【００５２】
さらに、光源は操作ノブに設けられることから、操作ノブの摺動範囲は大きいものとなりかつ光源のぐらつき等の不具合は防止される。
【図面の簡単な説明】
【図１】従来の空調用レジスタの一例を表す模式斜視図である。
【図２】光源が取付された従来の操作ブレードを表す模式透視図である。
【図３】本発明の実施例１の風向調整羽根を表す模式斜視図である。
【図４】本発明の実施例１の操作ブレードを表す模式透視図である。
【図５】本発明の実施例２の操作ブレードを表す模式透視図である。
【図６】本発明の実施例３の操作ブレードを表す模式透視図である。
【符号の説明】
１００：通風路　１０１：外筒　１０３：第１のブレード群　１０５：第２のブレード群　１０６：操作ブレード　１０７：操作ノブ
１０８：光源　１０９：コード　１１０：操作ブレード　１１１：操作ノブ　１１２：窓部
１：風向調整羽根　２：導電部　３：端子部　４：操作ブレード　６：外筒　７：第１のブレード群　８：第２のブレード群　１０：第１の回動軸部　１１：第１の回動軸支部　１２：第１の連結手段　１３：第２の回動軸部　１４：第２の回動軸支部　１５：第２の連結手段　１８：操作ノブ　２０：正極側端子部　２１：負極側端子部　２２：正極側導電部　２３：負極側導電部　２４：正極側端子　２５：負極側端子　２６：正極側当接部　２７：負極側当接部　２８：光源３０：当接部
３１：導電部　３２：当接部　３３：操作ブレード　３４：正極側導電部　３５：負極側導電部　３６：光源　３７：正極側当接部　３８：負極側当接部
３９：操作ブレード　４０：端子部　４１：端子　４２：導電部　４３：回動軸部
【図１】
2004025960.tif 000003
【図２】
2004025960.tif 000004
【図３】
2004025960.tif 000005
【図４】
2004025960.tif 000006
【図５】
2004025960.tif 000007
【図６】
2004025960.tif 000008